(57)【要約】【課題】  単に配布物を収容するだけの従来のラックとは異なる新規なラックを提供することにある。【解決手段】  単一の収容スペース２１を備えた収容体２０からなる配布用システムラック１０である。収容体２０はユニット化されており、図示するように縦方向へ連結できる組立て自在な構造となっている。また、収容体２０は、広告スペース２２を備えるとともに、横枠２３を青色に縦枠２４を赤色にカラーリングされている。収容スペース２１に収容される配布物は、無料で提供される雑誌又は新聞である。【選択図】  図１
2007089739.tif 000002
【特許請求の範囲】
【請求項１】
屋内・屋外に設置し、配布物を取り出し自由に収容する配布用のラックであって、
配布物を収容する収容体がユニット化され、その収容体どうしが組立て自在であることを特徴とする配布用システムラック。
【請求項２】
収容体が、単一の収容スペースを備えたことを特徴とする請求項１記載の配布用システムラック。
【請求項３】
収容体が、複数かつ同一サイズの収容スペース、または、複数かつ非同一サイズの収容スペースを備えたことを特徴とする請求項１記載の配布用システムラック。
【請求項４】
収容体が、広告スペースを備えたことを特徴とする請求項１から３のいずれかに記載の配布用システムラック。
【請求項５】
収容体が、それぞれカラーリングされていることを特徴とする請求項１から４のいずれかに記載の配布用システムラック。
【請求項６】
配布物が、無料で提供される雑誌又は新聞であることを特徴とする請求項１から５のいずれかに記載の配布用システムラック。
【発明の詳細な説明】
【技術分野】
【０００１】
本発明は、屋内・屋外に設置され、配布物を取り出し自由に収容する配布用のラックに関するものである。
【背景技術】
【０００２】
従来より、雑誌や新聞などを収容するラック（棚）には様々なものがある。
例えば、特許文献１には、新聞，雑誌等を積載棚に積載するだけでその新聞，雑誌等を平面方向に整合することのできるラックが開示されている。
また、特許文献２には、書籍の販売を行う商店内にある雑誌等用の書籍棚の最前列に広告宣伝用のスペースを設け、広告機能を有した書籍棚が開示されている。
【０００３】
ところで、近年有力な広告媒体として、無料で配布・提供される雑誌・新聞がある（いわゆるフリーペーパー類）。そして、街中ではこのフリーペーパーを収容した専用のラックを、店舗内・外で見かけることが多くなっている。
【０００４】
【特許文献１】実開平０７−１４９６４号公報
【特許文献２】特開２００３−１２５８６４号公報
【発明の開示】
【発明が解決しようとする課題】
【０００５】
配布用のラックは、配布・提供のために配布物を収容するものであるが、単に配布物を収容していれば良いというものでもないと、本発明者は考える。すなわち、ラックによってそこに収容されている配布物の配布率が向上したり、逆に、同じ配布物であっても、ラックによっては配布率が低調となることもある。
【０００６】
そこで、本発明者は、単に配布物を収容するだけの従来のラックとは異なる新規なラックを提供することを目的とし、本発明を完成するに至った。
【課題を解決するための手段】
【０００７】
上記目的を達成する第１の発明は、屋内・屋外に設置し、配布物を取り出し自由に収容する配布用のラックにあって、配布物を収容する収容体がユニット化され、その収容体どうしが組立て自在であることを特徴とする配布用システムラックである。
第２の発明は、収容体が、単一の収容スペースを備えたことを特徴とするものである。
第３の発明は、収容体が、複数かつ同一サイズの収容スペース、または、複数かつ非同一サイズの収容スペースを備えたことを特徴とするものである。
第４の発明は、収容体が、広告スペースを備えたことを特徴とするものである。ここで「広告スペース」には、宣伝のための広告の他に、案内・情報提供などのためのスペースも含まれる。
第５の発明は、収容体が、それぞれカラーリングされていることを特徴とするものである。
第６の発明は、配布物が、無料で提供される雑誌又は新聞であることを特徴とするものである。
【発明の効果】
【０００８】
本発明によれば、次のような効果を有する。
（１）配布物を収容する収容体がユニット化され、その収容体どうしが組立て自在であるシステムラックとしたことで、配布物のサイズ・数量・種類や設置場所の状況などに応じて柔軟・機敏に対応できるラックとなるので、配布物の管理者（設置者も含む。以下同じ）・提供者にとって利便性の高いラックを提供できる。
（２）配布物の管理者・提供者にとって利用しやすいラックとなることで、豊富な配布物を提供でき、配布物の利用者にとっても利便性の高いラックを提供できる。
（３）収容体が、広告スペースを備えることで、配布物に関連した広告や配布物の提供者・管理者に関連した広告を掲載できるので、配布物の宣伝広告効果も高まる。
（４）収容体が、それぞれカラーリングされていることで、ラックに美感を与え、配布物のイメージを向上されるとともに、配布物が人目に付きやすくなる。また、ラックを設置したことで周囲の美感を損ねることを防止し、周囲の環境に調和したラックを提供できる。
【発明を実施するための最良の形態】
【０００９】
本発明の実施形態を図面に基づいて説明する。
図１は、本発明の第１実施形態（Ａ）を示すものである。
第１実施形態（Ａ）は、単一の収容スペース２１を備えた収容体２０，２０，…からなる配布用システムラック１０である。収容体２０はユニット化されており、図示するように縦方向の連結、及び、図示省略するが、横方向にも連結できる組立て自在な構造となっている。また、収容体２０は、広告スペース２２を備えるとともに、横枠２３を青色に縦枠２４を赤色にカラーリングされている。なお、図１では、同一サイズの収容スペース２１を備えた収容体２０を４体連結させているが、異なる（非同一）サイズの収容スペースを備えた収容体２０を連結させてもよい。
【００１０】
図２は、本発明の第１実施形態（Ｂ）を示すものである。
第１実施形態（Ｂ）は、第１実施形態（Ａ）と同様に単一の収容スペース２６を備えた収容体２５，２５，…からなる配布用システムラック１５である。収容体２５はユニット化されており、図示するように縦方向の連結、及び、図示省略するが、横方向にも連結できる組立て自在な構造となっている。収容スペース２６には配布物２９が収容されるとともに、広告スペース２７を前面に備える。なお、図２では、同一サイズの収容スペース２６を備えた収容体２５を５体連結させているが、異なる（非同一）サイズの収容スペースを備えた収容体２５を連結させてもよいのは第１実施形態（Ａ）の場合と同様である。
【００１１】
図３は、本発明の第２実施形態を示すものである。
第２実施形態は、複数かつ同一サイズの収容スペース４１を備えた収容体４０からなる配布用システムラック３０である。収容体４０はユニット化されており、図示するように横方向に連結できる組立て自在な構造となっている。
【００１２】
収容体４０を３体連結させている配布用システムラック３０の左端の収容体４０ａは、図４に示すようなＡ４雑誌用４段（ポケット）の収容体であり、複数（４段）かつ同一サイズ（Ａ４雑誌用）の収容スペース４１ａを備える。中央の収容体４０ｂは、図５に示すようなＡ４雑誌用１０段（ポケット）の収容体であり、複数（１０段）かつ同一サイズ（Ａ４雑誌用）の収容スペース４１ｂを備える。右端の収容体４０ｃは、図６に示すようなタブロイド版用３段（ポケット）の収容体であり、複数（３段）かつ同一サイズ（タブロイド版用）の収容スペース４１ｃを備える。
【００１３】
また、収容体４０ａ〜ｃは、全面の上段部分と下段部分および側面に広告スペース４２ａ〜ｃを備えている。
なお、配布用システムラック３０は横連結タイプであるが、縦連結タイプのものであっても構わないし、収容体４０ａ〜ｃが複数かつ非同一サイズの収容スペースを備えるものであっても構わない。
【産業上の利用可能性】
【００１４】
本発明は、屋内・屋外に設置し、配布物を取り出し自由に収容する配布用のラックであって、配布物は特に限定されるものではない。配布物が、無料で提供される雑誌又は新聞である以外にも、店舗内・外にあって有料で提供される配布物に利用してもよい。
【図面の簡単な説明】
【００１５】
【図１】本発明の第１実施形態（Ａ）を示す説明図。
【図２】本発明の第１実施形態（Ｂ）を示す説明図。
【図３】本発明の第２実施形態を示す説明図。
【図４】第２実施形態のおける収容体を示す３面図。
【図５】第２実施形態のおけるその他の収容体を示す３面図。
【図６】第２実施形態のおけるその他の収容体を示す３面図。
【符号の説明】
【００１６】
１０，１５  配布用システムラック
２０，２５  収容体    ２１，２６  収容スペース    ２２，２７  広告スペース
２３  横枠      ２４  縦枠      ２９  配布物
３０  配布用システムラック
４０ａ〜ｃ  収容体    ４１ａ〜ｃ  収容スペース    ４２ａ〜ｃ  広告スペース
【図１】
2007089739.tif 000003
【図２】
2007089739.tif 000004
【図３】
2007089739.tif 000005
【図４】
2007089739.tif 000006
【図５】
2007089739.tif 000007
【図６】
2007089739.tif 000008